(57)【要約】      （修正有）【課題】肥満体型の方が着用してもヒップのたるみが生じないズボンを提供する。【解決手段】ズボン１０は、前身頃と、この前身頃と縫い合わされる後身頃１６Ｌ、１６Ｒとを有し、後身頃１６Ｌ、１６Ｒに、脇線２０Ｌ、２０Ｒから尻縫い目３４に亘るバックヨーク３５が設けられ、後身頃１６Ｌ、１６Ｒの膝中間の後股からバックヨーク３５に至るように、膝中間から上部に向かってマチ幅が大きくなる三角形状の後マチ４０を設けている。【選択図】図２
0003193703.tif 000002
【実用新案登録請求の範囲】
【請求項１】
前身頃と、この前身頃と縫い合わされる後身頃とを有し、
前記後身頃の尻縫い目と後身頃の後股間に三角形状の後マチが設けられていることを特徴とするズボン。
【請求項２】
前記後身頃に、脇線から尻縫い目に亘るバックヨークが設けられ、前記後マチは、後身頃の膝中間の後股から前記バックヨークに至るように、膝中間から上部に向かってマチ幅が大きくなる三角形状に設けられていることを特徴とする請求項１に記載のズボン。
【考案の詳細な説明】
【技術分野】
【０００１】
この考案は、ヒップのたるみを防止したズボンに関するものである。
【背景技術】
【０００２】
従来、通常のパターン（型紙）を用いて製作したズボンはヒップ下方部分に布地の余り（たるみ）があり、そのヒップ下方部分に皺などが生じる。そこで、ズボンの後身頃において、ヒップ下方の余り部分を除くとともに、ヒップポイント（ヒップの頂部）を高くするようにして、後身頃につけられるクリースラインが直線的に延びるようにしたズボンが提案されている（例えば、特許文献１参照）。
【０００３】
この特許は、後身頃を身頃本体と三角形のマチとに分離し、しかも両者を縫合せる縁をマチの縫合せ縁が長く後身頃本体の切離し縁を短くしており、両者の差は５〜１２mm程度としている。これにより通常のズボンにおいて生じるヒップ下方の余り部分が除かれた状態となる。そして三角マチの縫合せ縁は直線状または極めて緩やかなカーブであり、他方の身頃本体の切離し縁は屈曲した状態またはカーブを描いている状態となっている。このように曲がったものと直線状のものとを縫合せることにより膨らみ部を生じさせており、この膨らみ部はズボンを着用した際に着用者のヒップの膨らみに合致して移動し、ヒップポイントを高くしている。
【先行技術文献】
【特許文献】
【０００４】
【特許文献１】特開２００５−１７９８３３号公報
【考案の概要】
【考案が解決しようとする課題】
【０００５】
上記した特許文献１のものでは、股の部分にマチを設けて、ヒップ下方の余り部分を除くように構成し、後身頃につけられるクリースラインが直線的に延びるようにできる。しかしながら、この特許文献１では、肥満体型に対しての考慮はなされていない。
【０００６】
通常のズボンは、肥満体型のような大きなサイズでは、ウエストに合わせてズボンを購入すると、ヒップ部分と太もものゆとりが多すぎて、ヒップの下の部分にたるみが生じ、皺が多く発生する等の難点があった。
【０００７】
そこで、この考案は、肥満体型の方が着用してもヒップのたるみが生じないズボンを提供することを課題とするものである。
【課題を解決するための手段】
【０００８】
この考案は、上記の課題を解決するために、前身頃と、この前身頃と縫い合わされる後身頃とを有し、前記後身頃の尻縫い目と後身頃の後股間に三角形状の後マチを設けて構成したものである。
【０００９】
また、前記後身頃に、脇線から尻縫い目に亘るバックヨークが設けられ、前記後マチは、後身頃の膝中間の後股から前記バックヨークに至るように、膝中間から上部に向かってマチ幅が大きくなる三角形状に設けるように構成すれば良い。
【考案の効果】
【００１０】
この考案においては、後マチの切り替えにより、着用者のヒップ部を包み込み、ヒップ部の下のたるみをなくすことができる。その結果、皺の発生がなくなり、脚部にズボンが沿うように着用でき、スマートな着用シルエットが得られる。
【図面の簡単な説明】
【００１１】
【図１】この考案の実施形態にかかるズボンの正面図である。
【図２】この考案の実施形態にかかるズボンの背面図である。
【図３】この考案の実施形態にかかるズボンの側面図である。
【図４】この考案の実施形態にかかるズボンを着用した状態を示す背面図である。
【図５】この考案の実施形態にかかるズボンを着用した状態を示す側面図である。
【考案を実施するための形態】
【００１２】
この考案の実施形態を添付図面に基づいて具体的に説明する。なお、この考案にかかるズボンは、下記の実施形態に示したものに限定されず、その要旨を変更しない範囲において適宜変更して実施できるものである。
【００１３】
図１〜図３は、この考案の実施形態にかかるズボンを示し、図１は正面図、図２は背面図、図３は側面図である。図１〜図３に示すように、この実施形態に係るズボン１０は、身頃部１２を含み、身頃部１２は、前身頃１４Ｌ、１４Ｒと、後身頃１６Ｌ、１６Ｒとからなる。前身頃１４Ｌ、１４Ｒと、後身頃１６Ｌ、１６Ｒは、布、織物等の生地で形成されている。前身頃１４Ｌ、１４Ｒと、後身頃１６Ｌ、１６Ｒは、それぞれ脇線２０Ｌ、２０Ｒと内股線２４Ｌ、２４Ｒで縫製されている。前身頃１４Ｌ、１４Ｒの股上部分には前立て３０が設けられている。
【００１４】
そして、前身頃１４Ｌ、１４Ｒと、後身頃１６Ｌ、１６Ｒの上端部側には、前身頃１４Ｌ．１４Ｒから後身頃１６Ｌ、１６Ｒ側斜め上に項を描く湾曲したカーブベルトで構成されるウエスト部２８が配設されている。
【００１５】
後身頃１６Ｌ、１６Ｒそれぞれに、脇線２０Ｌ、２０Ｒから尻縫い目３４に亘るバックヨーク３５が設けられている。
【００１６】
この実施形態のズボン１０は、尻縫い目３４と後身頃１６Ｌ、１６Ｒの後股間に三角形状の後マチ４０、４０が設けられている。この後マチ４０は、後身頃１６Ｌ、１６Ｒの膝中間の後股からバックヨーク３５に至るように、膝中間から上部に向かってマチ幅が大きくなる三角形状に設けられている。後マチ４０は、後股部分で切り替えることにより、ヒップ部を包み込むとともに、ヒップ部下方の余分なたるみをなくすように機能する。
【００１７】
後身頃１６Ｌ、１６Ｒのヒップ部には、バックポケット３６Ｌ、３６Ｒが設けられている。また、ウエスト部２８には、複数のベルトバンド２８ａが設けられている。
【００１８】
このように形成されたこの実施形態のズボン１０を、肥満体型の方が着用すると、図４及び図５に示すように、後マチ４０、４０の切り替えにより、着用者Ａのヒップ部を包み込み、ヒップ部の下のたるみがなくなる。その結果、ヒップ部の下での皺の発生がなくなり、脚部にズボン１０が沿うように着用でき、スマートな着用シルエットが得られる。
【符号の説明】
【００１９】
１０    ：ズボン
１２    ：身頃部
１４Ｌ  ：前身頃
１４Ｒ  ：前身頃
１６Ｌ  ：後身頃
１６Ｒ  ：後身頃
２０Ｌ  ：脇線
２０Ｒ  ：脇線
２４Ｌ  ：内股線
２４Ｒ  ：内股線
２８    ：ウエスト部
２８ａ  ：ベルトバンド
３０    ：前立て
３４    ：目
３５    ：バックヨーク
３６Ｌ  ：バックポケット
３６Ｒ  ：バックポケット
４０    ：後マチ
【図１】
0003193703.tif 000003
【図２】
0003193703.tif 000004
【図３】
0003193703.tif 000005
【図４】
0003193703.tif 000006
【図５】
0003193703.tif 000007